(57)【要約】 【課題】  必要に応じてロックピンの配列と鍵のブレード部の形状を任意に変更でき、複数の異なる錠前として使用できる錠前装置及びその鍵を提供する。【解決手段】中空の筐体であって、収納空間を形成してなるハウジングと、該ハウジングの該収納空間に着脱自在に装入するシリンダハウジングと、環状ダイヤルと、内筒体と複数のロックピンセットとを具える複数のシリンダと、該シリンダハウジング内に回動自在に設け、かつ一端が該内筒体に連結するプラグと、を具える錠前装置であって、該環状ダイヤルを該内筒体に回動自在に設け、かつ該環状ダイヤルに複数の外部ロックピン孔を形成するとともに、該内筒体にキーウェイと複数の内部ロックピン孔を形成して該複数のロックピンセットを該外部ロックピン孔と該内部ロックピン孔とに設け、複数の該シリンダが該シリンダハウジングに配列されて設けられ、かつ隣り合う該シリンダが互いに着脱自在に連結した錠前装置と、及びヘッド部と、軸体と、複数のロック解除ブロックとを含んでなる鍵。【選択図】 図１
2016507677.tif 000002
【特許請求の範囲】
【請求項１】
中空の筐体であって、収納空間を形成してなるハウジングと、
該ハウジングの該収納空間に着脱自在に装入するシリンダハウジングと、
環状ダイヤルと、内筒体と複数のロックピンセットとを具える複数のシリンダと、
該シリンダハウジング内に回動自在に設け、一端が該内筒体に連結するプラグと、を具える錠前装置において、
該環状ダイヤルを該内筒体に回動自在に設け、該環状ダイヤルに複数の外部ロックピン孔を形成するとともに、該内筒体にキーウェイと複数の内部ロックピン孔を形成して該複数のロックピンセットを該外部ロックピン孔と該内部ロックピン孔とに設け、
複数の該シリンダが該シリンダハウジングに配列されて設けられ、隣り合う該シリンダが互いに着脱自在に連結することを特徴とする錠前装置。
【請求項２】
前記ロックピンセットは、弾性部材と、外部ロックピンと、内部ロックピンとを含み、それぞれのロックピンセットの外部ロックピンと、内部ロックピンとは長さが異なることを特徴とする請求項１に記載の錠前装置。
【請求項３】
前記ロックピンセットは、第１ロックピンセットと、第２ロックピンセットと、第３ロックピンセットと、第４ロックピンセットの４つであり、該第１ロックピンセットと、該第２ロックピンセットと、該第３ロックピンセットと、該第４ロックピンセットとを該シリンダの該外部ロックピンと、該内部ロックピンとにそれぞれ設けることを特徴とする請求項２に記載の錠前装置。
【請求項４】
前記シリンダハウジングに標示窓を設け、該環状ダイヤルのそれぞれの外部ピン孔に対応する位置に標示記号を標示し、該標記記号は該標示窓から露出することを特徴とする請求項３に記載の錠前装置。
【請求項５】
前記環状ダイヤルの一方の端面には外方向に突起した嵌合突起柱を複数設け、他方の端面には複数の嵌合溝を設けるとともに、内筒体の一方の端面に複数の内部嵌合突起柱を設け、他方の端面には凹状の内部嵌合溝を複数設け、
該環状ダイヤルの該嵌合突起柱が隣り合う他の該環状ダイヤルの該嵌合溝に嵌合し、該内筒体の該内部嵌合突起柱が隣り合う他の該内筒体の該内部嵌合溝に嵌合して位置決めすることを特徴とする請求項４に記載の錠前装置。
【請求項６】
前記プラグの一端に、隣り合う該内筒体の該内部嵌合溝に嵌合して位置決めする複数の内部係合柱を設け、他端に固定ブロックを設けることを特徴とする請求項５に記載の錠前装置。
【請求項７】
前記プラグの一端に外部位置決め板を挿設し、該外部位置決め板の一方の面に複数の外部嵌合柱を突起した状態に設け、複数の該外部嵌合柱は、隣り合うシリンダの環状ダイヤルの嵌合溝にそれぞれ嵌合し、該シリンダハウジングと該外部位置決め板との間に弾性部材を設け、該シリンダハウジングに係合孔を設け、該外部位置決め板に係合耳を設け、該係合耳がシリンダハウジングの係合溝に係合することを特徴とする請求項６に記載の錠前装置。
【請求項８】
前記外部位置決め板の内壁には円周に沿って固定係合溝を設けるとともに、該プラグの外周面に該固定係合溝に対応する位置に固定ブロックを設けることを特徴とする請求項７に記載の錠前装置。
【請求項９】
前記ハウジングの該収納空間に突起した位置決めブロックを設け、
該シリンダハウジングの一端にハウジング後部支持部材を設け、該ハウジング後部支持部材に孔部を穿設し、該ハウジング後部支持部材内に係止部材を設け、
該係止部材の一方の側から突起した係止ブロックと当止部とを設けるとともに該係止部材の内壁には偏心した位置に押接孔を設け、該ハウジング後部支持部材内に環状弾性体を設けて該係止ブロックが常に該孔部から突出した状態とし、該係止ブロックが該ハウジングの該位置決めブロックの背面側に係合するように構成し、
該プラグに作動ブロックを設け、該作動ブロックは該押接孔に至り、回転して該押接孔の壁面を押接することを特徴とする請求項１から請求項８の内の任意の一項に記載の錠前装置。
【請求項１０】
前記シリンダハウジングの一端に鍵位置決め環を設け、該鍵位置決め環に鍵穴と位置決め孔を設け、該位置決め孔内に弾性部材と位置決め柱とを装入し、該弾性部材は該位置決め柱の一端に押接し、該位置決め柱は位置を制限するための突縁を有しており、該位置決め孔内で位置が制限されるとともに、該位置決め孔内を摺動自在であることを特徴とする請求項９に記載の錠前装置。
【請求項１１】
請求項１から請求項１０の内の任意の一項に記載する錠前装置に対応する鍵であって、
ヘッド部と、軸体と、複数のロック解除ブロックとを含んでなり、
該軸体は桿体であって該ヘッド部と該軸体は連結し、
該ロック解除ブロックは、柱状を呈するブロック体であって、中心に挿通孔を設け、周面には複数のロック歯を設け、該ロック歯の高さは、該シリンダの該ロックピンセットの長さに比例し、該挿通過孔に該軸体を挿通し該ロック解除ブロックを着脱自在に該軸体に設けることを特徴とする鍵。
【請求項１２】
前記ロック解除ブロックの該ロック歯の外周面に位置合わせ記号を標示することを特徴とする請求項１１に記載の鍵。
【請求項１３】
前記ロック解除ブロックの両端を、それぞれ前部係合部と後部係合部とし、隣り合うロック解除ブロックにおいて該前部係合部と該後部係合部とが嵌合して位置決めされることを特徴とする請求項１２に記載の鍵。
【請求項１４】
前記前部係合部が該ロック解除ブロックから突出して形成される複数の突起ブロックであって、該後部係合部が該ロック解除ブロックに複数形成される凹状の嵌合溝であることを特徴とする請求項１３に記載の鍵。
【請求項１５】
前記ロック解除ブロックに形成される複数の該ロック歯が、第１ロック歯と、第２ロック歯と、第３ロック歯と、第４ロックであることを特徴とする請求項１４に記載の鍵。
【請求項１６】
前記ヘッド部に装着孔を設け、該装着孔にナットを設け、該軸体の一端に、外周面に螺刻した連結部を設け、該連結部を該装着孔に挿通して該ナットに連結することを特徴とする請求項１３から請求項１５の内の任意の一項に記載の鍵。
【請求項１７】
前記軸体の他端に外歯部を設け、該外歯部の形状は該プラグの該キーウェイの形状に対応することを特徴とする請求項１６に記載の鍵。
【請求項１８】
前記外歯部の該連結部側の一端を外歯係合部とし、該外歯係合部に、隣り合う該ロック解除ブロックの前部係合部に嵌合して位置決めする複数の係合溝を設けることを特徴とする請求項１７に記載の鍵。
【発明の詳細な説明】
【技術分野】
【０００１】
この発明は、ドライバーピンの組み合わせを任意に変更できる錠前装置と、その鍵に関する。
【背景技術】
【０００２】
既存の技術における錠前の形式は多種多様であるが、最も多くみられるのがピンタンブラー錠である。ピンタンブラー錠の基本的な構造は、外筒体にロック装置構造部を設けてなり、該ロック装置構造部は外筒体と、プラグと、複数のピンの組み合わせを含んでなる。
【０００３】
該外筒体は円筒形状を呈し、中央に収納空間を形成する。また、該外筒体の外周面には、間隔を置いて複数の外部ピン孔を形成する。
【０００４】
該プラグは円柱形状を呈し、中央にキーウェイを形成するとともに、外周面には間隔を置いて複数の内部ピン孔を形成する。該内部ピン孔は該キーウェイに連通する。該プラグは回動自在に該外筒体に設ける。該プラグの内部ピン孔は、該外筒体の外部ピン孔の位置に対応して形成する。
【０００５】
該ピンの組み合わせは、ドライバーピンと、キーピンと、弾性部材とを含み、対応する外部ピン孔と内部ピン孔とに設けられる。即ち、該ドライバーピンと該弾性部材は該外部ピン孔に設け、該弾性部材が該ドライバーピンの一端に押接し、該ドライバーピンの他端は該内部ピン孔に突出する。該キーピンは該内部ピン孔に摺動自在に設けられ、一端が突出して該キーウェイ内に至る。
【０００６】
前記ドライバーピンと、キーピンとの長さは、鍵のブレード部の歯の高さに対応する。鍵をキーウェイに挿入すると、該鍵のブレード部の歯が対応するキーピンに当接し、ドライバーピンと、キーピンとが移動し、シアラインが該外筒体の内壁と該プラグの外周壁とが接する位置に合わさると、該プラグが回転可能になり、ロック解除の目的を達成することができる。
【０００７】
上述するピンタンブラー錠は、それぞれのピンが特定の長さを具え、かつその長さは鍵のブレード部の歯の形状に対応する。このため、複数の錠前を使用する場合は、同数の鍵を有していなければならない。多くの鍵を所持することは空間を占めることになり、また多数の鍵の中から正しい鍵を探し出すことは不便である。それぞれの鍵の形状が似ていれば、見分けがつかなくなる。また、鍵を遺失した場合を考えてスペアキーを保管しなければならず、スペアキーによって同様の鍵を複製することになる。さもなくば、錠前を交換しなければならない。さらには、遺失した鍵を取得したものが不当に利用することもあり得る。即ち遺失した鍵を拾った者が盗みに入ることは十分考えられる。係る事態を防ぐためには、錠前を交換するしかない。よって、不便であるのみにならず、金銭と時間を浪費することになる。したがって、既存のピンタンブラー錠は、改良の余地があると言える。
【発明の概要】
【発明が解決しようとする課題】
【０００８】
この発明は、必要に応じてロックピンの配列と鍵のブレード部の形状を任意に変更でき、複数の異なる錠前として使用できる錠前装置及びその鍵を提供することを課題とする。
【課題を解決するための手段】
【０００９】
そこで、本発明者は従来の錠前に欠点に鑑み鋭意研究を重ねた結果、中空の筐体であって、収納空間を形成してなるハウジングと、該ハウジングの該収納空間に着脱自在に装入するシリンダハウジングと、環状ダイヤルと、内筒体と複数のロックピンセットとを具える複数のシリンダと、該シリンダハウジング内に回動自在に設け、かつ一端が該内筒体に連結するプラグと、を具える錠前装置であって、該環状ダイヤルを該内筒体に回動自在に設け、かつ該環状ダイヤルに複数の外部ロックピン孔を形成するとともに、該内筒体にキーウェイと複数の内部ロックピン孔を形成して該複数のロックピンセットを該外部ロックピン孔と該内部ロックピン孔とに設け、複数の該シリンダが該シリンダハウジングに配列されて設けられ、かつ隣り合う該シリンダが互いに着脱自在に連結した錠前装置と、係る錠前装置に対応する鍵であって、ヘッド部と、軸体と、複数のロック解除ブロックとを含んでなる鍵とによって課題を解決でできる点に着眼し、係る知見に基づいて本発明を完成させた。
【００１０】
以下この発明について説明する。請求項１に記載する錠前装置は、中空の筐体であって、収納空間を形成してなるハウジングと、
該ハウジングの該収納空間に着脱自在に装入するシリンダハウジングと、
環状ダイヤルと、内筒体と複数のロックピンセットとを具える複数のシリンダと、
該シリンダハウジング内に回動自在に設け、かつ一端が該内筒体に連結するプラグと、を具える錠前装置において、
該環状ダイヤルを該内筒体に回動自在に設け、かつ該環状ダイヤルに複数の外部ロックピン孔を形成するとともに、該内筒体にキーウェイと複数の内部ロックピン孔を形成して該複数のロックピンセットを該外部ロックピン孔と該内部ロックピン孔とに設け、
複数の該シリンダが該シリンダハウジングに配列されて設けられ、かつ隣り合う該シリンダが互いに着脱自在に連結する。
【００１１】
請求項２に記載する錠前装置は、請求項１におけるロックピンセットが、弾性部材と、外部ロックピンと、内部ロックピンとを含み、かつそれぞれのロックピンセットの外部ロックピンと、内部ロックピンとが異なる長さの比例を有する。
【００１２】
請求項３に記載する錠前装置は、請求項２におけるロックピンセットの数が４つであって、それぞれ第１ロックピンセットと、第２ロックピンセットと、第３ロックピンセットと、第４ロックピンセットとし、かつ該第１ロックピンセットと、該第２ロックピンセットと、該第３ロックピンセットと、該第４ロックピンセットとを該シリンダの該外部ロックピンと、該内部ロックピンとにそれぞれ設ける。
【００１３】
請求項４に記載する錠前装置は、請求項３におけるシリンダハウジングに標示窓を形成し、かつ該環状ダイヤルのそれぞれの該外部ピン孔に対応する位置に標示記号を標示し、該標記記号が該かつ該標示窓から露出する。
【００１４】
請求項５に記載する錠前装置は、請求項４における環状ダイヤルの一方の端面には外方向に突起した嵌合突起柱を複数形成し、かつ他方の端面には複数の嵌合溝を形成するとともに、内筒体の一方の端面に複数の内部嵌合突起柱を形成し、かつ他方の端面には凹状の内部嵌合溝を複数形成し、
該環状ダイヤルの該嵌合突起柱が隣り合う他の該環状ダイヤルの該嵌合溝に嵌合し、かつ該内筒体の該内部嵌合突起柱が隣り合う他の該内筒体の該内部嵌合溝に嵌合して位置決めされる。
【００１５】
請求項６に記載する錠前装置は、請求項５におけるプラグの一端に、隣り合う該内筒体の該内部嵌合溝に嵌合して位置決めする。
【００１６】
請求項７に記載する錠前装置は、請求項６におけるプラグの一端に外部位置決め板を挿設し、該外部位置決め板、一方の面に複数の外部嵌合柱を突起した状態に形成し、複数の該外部嵌合柱は、隣り合うシリンダの環状ダイヤルの嵌合溝にそれぞれ嵌合し、該シリンダハウジングと該外部位置決め板との間に弾性部材を設け、かつ該シリンダハウジングに係合孔を形成し、該外部位置決め板に係合耳を形成し、該係合耳がシリンダハウジングの係合溝に係合する。
【００１７】
請求項８に記載する錠前装置は、請求項７における外部位置決め板の内壁には円周に沿って固定係合溝を形成するとともに、該プラグの外周面に該固定係合溝に対応する位置に固定ブロックを形成する。
【００１８】
請求項９に記載する錠前装置は、請求項１から請求項８の内の任意の一項におけるハウジングの該収納空間に突起した位置決めブロックを形成し、
該シリンダハウジングの一端にハウジング後部支持部材を設け、該ハウジング後部支持部材に孔部を穿設し、かつ該ハウジング後部支持部材内に係止部材を設け、
該係止部材の一方の側から突起した係止ブロックと当止部とを形成するとともに該係止部材の内壁には偏心した位置に押接孔を形成し、かつ該ハウジング後部支持部材内に環状弾性体を設けて該係止ブロックが常に該孔部から突出した状態となり、該係止ブロックが該ハウジングの該位置決めブロックの背面側に係合するように構成し、
該プラグに作動ブロックを形成し、該作動ブロックが該押接孔に至り、回転して該押接孔の壁面を押接する。
【００１９】
請求項１０に記載する錠前装置は、請求項９におけるシリンダハウジングの一端に鍵位置決め環を設け、該鍵位置決め環に鍵穴と位置決め孔を形成し、該位置決め孔内に弾性部材と位置決め柱とを装入し、該弾性部材は該位置決め柱の一端に押接し、該位置決め柱には位置を制限するための突縁を形成することによって該位置決め孔内に位置が制限され、かつ該位置決め孔内を自在に摺動するように構成する。
【００２０】
請求項１１に記載する鍵は、請求項１から請求項１０の内の任意の一項に記載する錠前装置に対応する鍵であって、
ヘッド部と、軸体と、複数のロック解除ブロックとを含んでなり、
該軸体は桿体であって該ヘッド部と該軸体は連結し、
該ロック解除ブロックは、柱状を呈するブロック体であって、中心に挿通孔を形成し、かつ周面には複数のロック歯を形成し、該ロック歯の高さは、該シリンダの該ロックピンセットの長さに比例し、該挿通過孔に該軸体を挿通し該ロック解除ブロックを着脱自在に該軸体に設ける。
【００２１】
請求項１２に記載する鍵は、請求項１１におけるロック解除ブロックの該ロック歯の外周面に位置合わせ記号を標示する。
【００２２】
請求項１３に記載する鍵は、請求項１２におけるロック解除ブロックの両端を、それぞれ前部係合部と後部係合部とし、隣り合うロック解除ブロックにおいて該前部係合部と該後部係合部とが嵌合して位置決めされる。
【００２３】
請求項１４に記載する鍵は、請求項１３における前部係合部が該ロック解除ブロックから突出して形成される複数の突起ブロックであって、該後部係合部が該ロック解除ブロックに複数形成される凹状の嵌合溝である。
【００２４】
請求項１５に記載する鍵は、請求項１４におけるロック解除ブロックに形成される複数の該ロック歯が、第１ロック歯と、第２ロック歯と、第３ロック歯と、第４ロックである。
【００２５】
請求項１６に記載する鍵は請求項１３から請求項１５の内の任意の一項に記載するヘッド部に装着孔を形成し、該装着孔にナットを設け、該軸体の一端に、外周面に螺刻した連結部を形成し、該連結部を該装着孔に挿通して該ナットに連結する。
【００２６】
請求項１７に記載する鍵は、請求項１６における軸体の他端に外歯部を形成し、該外歯部の形状が該プラグの該キーウェイの形状に対応する。
【００２７】
請求項１８に記載する鍵は、請求項１７における外歯部の該連結部側の一端を外歯係合部とし、該外歯係合部に、隣り合う該ロック解除ブロックの前部係合部に嵌合して位置決めする複数の係合溝を形成する。
【発明の効果】
【００２８】
この発明による錠前装置と鍵は、ロックピンの配列を変更することができるため安全性を具え、かつ従来の錠前に見られるように、鍵を遺失した場合に錠前を交換する必要がなく、錠前を交換することによって発生する金銭と時間の浪費を防ぐことができるという利便性と効果を具える。
【図面の簡単な説明】
【００２９】
【図１】錠前装置の斜視図である。
【図２】図１に開示する錠前装置の分解図である。
【図３】他の視点からの図１に開示する錠前装置の分解図である。
【図４】この発明による錠前装置の一部断面構造を示した説明部である。
【図５】図１に開示する錠前装置の断面図である。
【図６】この発明におけるプラグと係止部材との断面構造を示した説明図である。
【図７】この発明におけるシリンダの構造を示した分解説明図である。
【図８】図７に開示するシリンダの断面構造を示した説明図である。
【図９】この発明による鍵の斜視図である。
【図１０】図９に開示する鍵の分解図である。
【図１１】他の視点からのこの発明による鍵の分解図である。
【図１２】この発明による錠前装置と鍵の使用態様の一を示した説明図である。
【図１３】この発明においてシリンダとピンの配列を調整する動作を示した説明図である。
【発明を実施するための形態】
【００３０】
この発明は、必要に応じてドライバーピン、キーピンの配列と鍵のブレード部の形状を任意に変更でき、複数の異なる錠前として使用できる錠前装置と、及びその鍵を提供するものであって、該錠前装置は、中空の筐体であって、収納空間を形成してなるハウジングと、該ハウジングの該収納空間に着脱自在に装入するシリンダハウジングと、環状ダイヤルと、内筒体と複数のロックピンセットとを具える複数のシリンダと、該シリンダハウジング内に回動自在に設け、かつ一端が該内筒体に連結するプラグと、を具え、該環状ダイヤルを該内筒体に回動自在に設け、かつ該環状ダイヤルに複数の外部ロックピン孔を形成するとともに、該内筒体にキーウェイと複数の内部ロックピン孔を形成して該複数のロックピンセットを該外部ロックピン孔と該内部ロックピン孔とに設け、  複数の該シリンダが該シリンダハウジングに配列されて設けられ、かつ隣り合う該シリンダが互いに着脱自在に連結する構成。
【００３１】
また、上述する錠前装置に用いる鍵は、ヘッド部と、軸体と、複数のロック解除ブロックとを含んでなり、該軸体は桿体であって該ヘッド部と該軸体は連結し、該ロック解除ブロックは、柱状を呈するブロック体であって、中心に挿通孔を形成し、かつ周面には複数のロック歯を形成し、該ロック歯の高さは、該シリンダの該ロックピンセットの長さに比例し、該挿通過孔に該軸体を挿通し該ロック解除ブロックを着脱自在に該軸体に設ける構成。以下に具体的な実施例を挙げ、図面を参照にして詳述する。
【実施例】
【００３２】
図１に、この発明による錠前装置と、該錠前装置に用いる鍵を開示する。
【００３３】
図２、３に開示するように、この発明による錠前装置は、ハウジング１０と、シリンダハウジング２０と、複数のシリンダ３０とプラグ４０とを含んでなる。
【００３４】
ハウジング１０は中空の筐体であって、該筐体の正面側に、内部方向に窪で凹状を呈する収納孔１１を形成する。収納孔１１によって形成される空間は円柱形状を呈する。ハウジング１０の背面には、収納孔１１に連通する貫通孔１２を穿設する。
【００３５】
実施例において、ハウジング１０は立方体を呈し、正面側の壁面に指示標示１３を設ける。また、収納孔１０の内壁には対向する位置にそれぞれ突起した位置決めブロック１４を形成する。
【００３６】
図２から図５に開示するように、シリンダハウジング２０は中空の円筒体であって、一端を外端部２１とし、他端を内端部２２とする。外端部２１には、内部に環状の嵌設部２１０を形成し、かつ外端部２１の内壁には位置制限溝２１１を形成する。また、嵌設部２１０の内側の端面には間隔を置いて凹状の嵌合溝２１２を複数形成する。
【００３７】
内端部２２は開口状に形成し、さらにシリンダハウジング２０の外周面には表示窓２３を形成するとともに、外端部２１の端面には第２指示標示２８を設ける。
【００３８】
シリンダハウジング２０の内端部２２の側縁部には、対向する位置にそれぞれ係合孔２４を形成するとともに、シリンダハウジング２０の外周面には指示標示２８を標示する。
【００３９】
シリンダハウジング２０はハウジング１０の収納孔１１に着脱自在に装入する。ハウジング１０の端面には、シリンダハウジング２０の第２指示標示２８に対応する位置に第１指示標示１３を設ける。
【００４０】
実施例においては、さらにハウジング後部支持部材２５を設ける。ハウジング後部支持部材２５は、中空で環状を呈し、外周面には複数の第１固定孔２５０を形成する。
【００４１】
シリンダハウジング２０の内端部２２の外周面には円周に沿い、間隔をおいて複数の第２固定孔２２０を形成するとともに、ハウジング後部支持部材２５をシリンダハウジング２０の内端部２２に設ける。この場合、それぞれの第１固定孔２５０の位置は、それぞれの第２固定孔２２に対応し、固定部材による固定に供する。
【００４２】
ハウジング後部支持部材２５の外周壁には、対向する位置にそれぞれ挿設孔２５１と、貫通孔２５２とを形成する。挿設孔２５１と、貫通孔２５２とは、ハウジング後部支持部材２５の外周壁を貫通して内周面に至る。また、ハウジング後部支持部材２５の内壁には凹状の係合溝２５３を形成する。
【００４３】
図２から図６に開示するように、ハウジング後部支持部材２５内には係止部材２６と環状弾性部材２７とを設ける。係止部材２６は環状を呈し、かつ一方の側から突起した係止ブロック２６０と当止部２６１とを形成する。また、係止部材２６の内壁には偏心した位置に押接孔２６２を形成する。
【００４４】
係止部材２６は摺動自在にハウジング後部支持部材２５内に設ける。環状弾性部材２７は環状を呈する弾性体であって、ハウジング後部支持部材２５内に設け、かつ環状弾性体２７の一方の側がハウジング後部支持部材２５の内壁に当接し、他方の側が係止部材２６の当止部２６１に押接する。よって、係合部材２６の係止ブロック２６０は常に貫通孔２５２から突出した状態となり、係止ブロック２６０は、ハウジング１０の収納孔１１内の位置決めブロック１４の背面側に係合する。
【００４５】
図２から図４に開示するように、シリンダ３０は、環状ダイヤル３１と内筒体３２と、及び複数のロックピンセットを組み合わせてなる。
【００４６】
図７、図８に開示するように、環状ダイヤル３１は環状を呈し、外周面には複数の外部ピン孔３１０を複数形成する。環状ダイヤル３１には、外周にナンバーリング３１１を嵌設する。ナンバーリング３１１は、それぞれの外部ピン孔３１０に対応する位置に、例えば１、２、３、４などの標示記号３１２を標示する。
【００４７】
実施例において、環状ダイヤル３１に形成する外部ピン孔３１０は四箇所に形成し、それぞれ９０度の間隔を置く。また、環状ダイヤル３１の内壁の一端には凹状の環状嵌合溝３１３を形成する。さらに、環状ダイヤル３１の一方の端面には外方向に突起した嵌合突起柱３１４を複数形成し、環状ダイヤル３１の他方の端面には複数の嵌合溝３１５を形成する。
【００４８】
内筒体３２は円盤状を呈し、中心の位置にキーウェイ３２０を形成する。キーウェイ３２０は内壁に放射状に配列した複数の歯溝を形成する。実施例において、キーウェイ３２０は十字状を呈する孔であって、それぞれ第１歯溝と、第２歯溝と、第３歯溝と、第４歯溝とを具える。
【００４９】
内筒体３２の外周面には、間隔を置いて複数の内部ピン孔３２１を形成する。内部ピン孔３２１はキーウェイ３２０の歯溝に対応した位置に形成され内筒体３２を貫通する。
【００５０】
また、内部ピン孔３２１の内壁のキーウェイ３２０に近接した位置には、円の中心に向かって突起する位置制限環３２５を形成する。内部ピン孔３２１を形成する数は環状ダイヤル３１の外部ピン孔３１０の数に対応する。例えば、具体的に４つの内部ピン孔３２１を形成し、かつそれぞれ９０度の角度で内筒体３２に形成する。
【００５１】
内筒体３２は、一方の端面に複数の内部嵌合突起柱３２２を形成し、他方の端面には凹状の内部嵌合溝３２３を複数形成する。さらに、内筒体３２の外周面の一端縁部には突起した環状嵌合端縁部３２４を形成する。環状嵌合端縁部３２４の外径は、環状ダイヤル３１の内径より大きくする。また、環状嵌合端縁部３２４の外径は環状嵌合溝３１３の内径に対応する。
【００５２】
該ロックピンセットは、弾性部材３３０と、外部ロックピン３３１と、内部ロックピン３３２とを含む。それぞれの外部ロックピン３３１と、内部ロックピン３３２とは、他の外部ロックピン３３１及び内部ロックピン３３２と異なる長さを具え。かつ内部ロックピン３３２の一端の外周面には位置制限突縁３３３を形成する。
【００５３】
図８に開示するように、該ロックピンセットを設ける数は４つであって、それぞれ第１ロックピンセット３３と、第２ロックピンセット３４と、第３ロックピンセット３５と、第４ロックピンセット３６である。
【００５４】
内筒体３２は、回動自在に環状ダイヤル３１内に設ける。内筒体３２の内部ピン孔３２１と、環状ダイヤル３１の外部ピン孔３１０とは、それぞれ位置が対応し、かつ連通する。該ロックピンセットの弾性部材３３０と、外部ロックピン３３１とは、それぞれ環状ダイヤル３１の外部ピン孔３１０内に設け、該弾性部材３３０は一端がナンバーリング３１１に当接するとともに、他端が外部ロックピン３３１の外端の端面に当接する。
【００５５】
外部ロックピン３３１は、内端が内部ピン孔３２１内に突出し、それぞれの該ロックピンセットの内部ロックピン３３２は内筒体３２の内部ピン孔３２１に装入する。この場合、内部ロックピン３３２の外端と外部ロックピン３３１の外端とが互いに当接し、かつそれぞれの内部ロックピン３３２の内端がキーウェイ３２０の歯溝内に突出する。
【００５６】
それぞれの内部ロックピン３３２は位置制限突縁３３３を形成した位置において外径が内筒体３２の位置制限環３２５の内径より大きいため位置が制限される。よって、内部ロックピン３３２は内部ピン孔３２１内に位置決めされ、かつ安定して摺動する。
【００５７】
実施例において、第１ロックピンセット３３は、環状ダイヤル３１においてナンバーリング３１１の番号が１と標示された標示記号３１２に対応する位置の外部ピン孔３１０と内部ピン孔３２１に装入する。
第２ロックピンセット３４は、環状ダイヤル３１においてナンバーリング３１１の番号が２と標示された標示記号３１２に対応する位置の外部ピン孔３１０と内部ピン孔３２１に装入する。第３ロックピンセット３５は、環状ダイヤル３１においてナンバーリング３１１の番号が３と標示された標示記号３１２に対応する位置の外部ピン孔３１０と内部ピン孔３２１に装入する。第４ロックピンセット３６は、環状ダイヤル３１においてナンバーリング３１１の番号が４と標示された標示記号３１２に対応する位置の外部ピン孔３１０と内部ピン孔３２１に装入する。
【００５８】
図２、３、７に開示するように、シリンダ３０は、シリンダハウジング２０内において、軸方向に沿って配列して設け、環状ダイヤル３１の嵌合突起柱３１４が隣り合う他の環状ダイヤル３１の嵌合溝３１５に嵌合し、かつ内筒体３２の内部嵌合突起柱３２２が隣り合う他の内筒体３２の内部嵌合溝３２３に嵌合する。内筒体３２の環状嵌合端縁部３２４は隣り合う他の環状嵌合溝３１３に嵌合する。
【００５９】
複数のシリンダ３０をシリンダハウジング２０に設け、シリンダ３０の環状ダイヤル３１の標示記号３１２は標示窓２３から外部に露出する。よって、外部から標示記号３１２を視認することができる。
【００６０】
図２、３、５に開示するように、組み立てたシリンダ３０の一端には鍵位置決め環３７を設ける。鍵位置決め環３７には鍵穴３７０を形成する。鍵穴３７０を形成する位置にも放射状に配列した複数の歯溝を形成する。また、鍵位置決め環３７の外周面には位置決め孔３７１を形成し、位置決め孔３７１内に弾性部材３７２と位置決め柱３７３とを装入する。
【００６１】
弾性部材３７２は位置決め孔３７１の一端に押接し、位置決め孔３７１は位置を制限するための突縁を形成し、このため位置決め柱３７３内に位置が制限され、かつ位置決め柱３７３内を自在に摺動する。また、位置決め孔３７１が移動した場合、他端が鍵穴３７０の歯溝に突出する。
【００６２】
鍵位置決め環３７は、一方の端面に凹状の内部嵌合溝３７４を形成し、他方の端面に段差部３７５を形成する。段差部３７５はシリンダハウジング２０の外端部２１の位置制限溝２１１に嵌入する。
【００６３】
鍵位置決め環３７はシリンダハウジング２０の嵌設部２１０内に設けられ、かつ鍵位置決め環３７の外周面はシリンダハウジング２０の嵌設部２１０の内壁に当接する。また、鍵位置決め環３７のそれぞれの内部嵌合溝３７４には、隣り合う他のシリンダ３０の内部嵌合突起柱３２２が嵌合する。また、嵌設部２１０には、隣り合う他のシリンダ３０の嵌合突起柱３１４が嵌合する。また、位置決め柱３７３はシリンダハウジングの第２指示標示２８を具える側に位置する。
【００６４】
図２、３、５に開示するように、プラグ４０は円柱体形状を呈し、一端の外周面には、円周に沿って突縁４１を形成するとともに、固定ブロック４１０を形成する。また同一端の端面には複数の内部係合柱４２を形成し、かつ鍵穴４２０を穿設する。他端の端面には連結突起部４３を形成し、連結突起部４３には連結孔４３０を形成する。プラグ４０の同一端の外周面には、端縁部に近接した位置に作動ブロック４４を形成する。
【００６５】
プラグ４０の一端には、外部位置決め板４５を回動自在に挿設する。外部位置決め板４５は円環状の板体であって、一方の面に複数の外部嵌合柱４５０を突起した状態に形成する。複数の外部嵌合柱４５０は、隣り合うシリンダ３０の環状ダイヤル３１の嵌合溝３１５にそれぞれ嵌合する。
【００６６】
また、外部位置決め板４５の両側には、それぞれ係合耳４５１を形成するとともに、外部位置決め板４５の内壁には円周に沿って固定係合溝４５２を形成する。固定係合溝４５２は、プラグ４０の固定ブロック４１０に対応する位置に形成する。さらに、プラグ４０には弾性部材４６を嵌挿する。
【００６７】
プラグ４０はシリンダハウジング２０の内部ピン孔３２１内端部２２に設け、プラグ４０の内部係合柱４２はシリンダ３０の内筒体３２の内部嵌合溝３２３に嵌合する。外部位置決め板４５の両側の係合耳４５１は、それぞれシリンダハウジング２０の係合孔２４に係合する。また外部位置決め板４５のそれぞれの外部嵌合柱４５０は、隣り合うシリンダ３０の環状ダイヤル３１の嵌合溝３１５に嵌合する。
【００６８】
弾性部材４６は、一端が外部位置決め板４５の他の側面に押接し、他端が後部支持部材２５に押接する。弾性部材４６の弾力の作用によって、外部位置決め板４５とプラグ４０とは、常にシリンダ３０の方向に移動し、ここから、それぞれのシリンダ３０の間の位置決め、嵌合の関係を維持する。
【００６９】
プラグ４０の作動ブロック４４は、後部支持部材２５内に位置し、かつ作動ブロック４４の位置は、係止部材２６の偏心した位置に形成する押接孔２６２に対応し、作動ブロック４４が所定の角度だけ回転すると（例えば９０度）係止部材２６に接触し、係止部材２６の係止ブロック２６０が後退して後部支持部材２５内に位置し、シリンダハウジング２０がハウジング１０の収納孔１１から取り出される。
【００７０】
実施例において、プラグ４０の他端には固定ブロック４７を設ける。
固定ブロック４７は、プラグ４０の連結孔４３０内に嵌合して連結する。
固定ブロック４７は円柱状を呈し、ハウジング１０の貫通孔１２からハウジング１０の後部側面の外側に向かって突出する。固定ブロック４７は、チューブラッチ、もしくはその他ロック装置の開閉機能を有する駆動部材の接続に供する。
【００７１】
図９から図１１に開示するように、この発明における鍵は、ヘッド部５０と、軸体６０と、複数のロック解除ブロック７０とを含む。
【００７２】
ヘッド部５０は、把持部５１と、桿体部５２とを含んでなり、把持部５１は所定の厚さを具える板体であって、把持部５１には装着孔５１０を形成し、装着孔５１０にはナット５１１を設ける。
【００７３】
ナット５１１は柱状を呈し、かつ内部ねじ孔５１２を形成するとともに、外周面には円周に沿って複数の位置決め孔５１３を形成する。ヘッド部５０の一方の側にはねじ孔を形成して位置決めボルト５３を螺着する。位置決めボルトの一端には、位置決め突起５３０を形成する。位置決め突起５３０はナット５１１の位置決め孔５１３に挿通して位置決めする。  
【００７４】
ヘッド部５０は、一方の側面に位置決め記号５１４を具える、桿体部５２は、一端が把持部５１に接続し、他端には内歯部５２０を形成する。内歯部５２０には軸方向に沿って配列した複数のロック歯を形成する。その内の一ロック歯には凹状の位置決め溝５２１を形成し、位置決め溝５２１は位置決め記号５１４の方向の延長線上に位置する。
【００７５】
桿体部５２は柱状を呈し、端面の中央の位置に中心貫通孔５２２を形成する。中心貫通孔５２２は装着孔５１０に連通し、かつナット５１１の内部ねじ孔５１２に対応する。
【００７６】
内歯部５２０の一端には、端面から突起する複数の係合突起５２３を形成する。
【００７７】
軸体６０は桿体であって、一端に、外周面に螺刻した連結部６１を形成し、他端には外歯部６２を形成する。連結部６１は軸体６０の外周面に螺刻してなり、外歯部６２は軸方向に沿って配列した複数のロック歯６２０を形成してなる。また、外歯部６２の連結部６１側の一端を外歯係合部とし、該外歯係合部に複数の係合溝６２１を形成する。
【００７８】
ロック解除ブロック７０は、柱状を呈するブロック体であって、中心に挿通孔７００を形成する。また、ロック解除ブロック７０の両端を、それぞれ前部係合部、後部係合部とし、該部係合部と後部係合部とは互いに対応した形状とする。
【００７９】
該前部係合部は、具体的にはロック解除ブロック７０から突出して形成される複数の突起ブロック７１であって、該後部係合部は、具体的にはロック解除ブロック７０に複数形成される凹状の嵌合溝である。
【００８０】
ロック解除ブロック７０の外周面には複数のロック歯７３を形成する。ロック歯７３の高さは、シリンダ３０の該ロックピンセットの長さに比例する。それぞれのロック歯７３の外周面には、ナンバーリング３１１の標示記号３１２に対応する位置合わせ記号７３０を標示する。
【００８１】
実施例においては、ロック解除ブロック７０の外周面には円周に沿って配列される第１ロック歯７３１と、第２ロック歯７３２と、第３ロック歯７３３と、第４ロック歯７３４とを形成し、これらロック歯の高さは。それぞれ第１ロックピンセット３３と、第２ロックピンセット３４と、第３ロックピンセット３５と、第４ロックピンセット３６との外部ロックピン３３１及び内部ロックピン３３２の長さにそれぞれ対応し、かつ第１ロック歯７３１と、第２ロック歯７３２と、第３ロック歯７３３と、第４ロック歯７３４とに標示する位置合わせ記号７３０は、それぞれ１、２、３、４などである。
【００８２】
複数のロック解除ブロック７０は挿通孔７００に軸体６０を挿通し、軸体６０上のロック解除ブロック７０は前部係合の突起ブロック７１が取り合う他のロック解除ブロック７０の外歯部６２の係合溝６２１に係合する。即ち、それぞれの隣り合うロック解除ブロック７０の前部係合部と後部係合部が互いに係合して位置決めされ、それぞれのロック解除ブロック７０の突起ブロック７１が隣り合うロック解除ブロック７０の係合溝７２に係合する。
【００８３】
軸体６０は、連結部６１を形成した一端をヘッド部５０の桿体部５２の中心貫通孔５２２に挿通し、かつ軸体６０の連結部６１にはナット５１１を螺着し、隣り合う内歯部５２０のロック解除ブロック７０は係合部の係合溝７２に内歯部５２０の係合突起５２３が係合して位置決めされる。
【００８４】
この発明による錠前と鍵を使用する場合は、図１から図５に開示するように、使用者はヘッド部５０の把持部５１を持ち、位置決め記号５１４をハウジング１０の指示標示１３と、シリンダハウジング２０の指示標示２８に合わせ、軸体６０の外歯部６２を鍵位置決め環３７の鍵穴３７０に挿入し、かつシリンダ３０のキーウェイ３２０に挿入し、最後に外歯部６２をプラグ４０の鍵穴４２０内に位置させる。この場合、それぞれのロック解除ブロック７０は、内筒体３２のキーウェイ３２０内に位置し、内歯部５２０は鍵位置決め環３７の鍵穴３７０内に位置し、鍵位置決め環３７の位置決め柱３７３は内歯部５２０の位置決め溝５２１に移動し、かつ当接する。
【００８５】
図５、８に開示するように、複数のロック解除ブロック７０は、それぞれロック歯７３が該ロックピンセットに対応し、ロック歯７３の外周面と内部ロックピン３３２とが当接する。内部ロックピン３３２が内方向に移動すると、対応ロック歯７３と該ロックピンセットが対応する。その外部ロックピン３３１と内部ロックピン３３２のシアラインが移動して環状ダイヤル３１と内筒体３２の交差する線に重なり合うと、図６に開示するように時計回りの逆方向に鍵を回転させ、内筒体３２を連動させて対応する環状ダイヤル３１を回転させることができ、ロック解除、もしくはロックの目的を達成することができる。
【００８６】
シリンダ３０の該ロックピンセットの配列を変更する場合は、鍵をキーウェイ３２０、鍵穴３７０、鍵穴４２０に挿入し、図６に開示するように時計回りの方向に回転させる。さらに図２、図５に開示するように、鍵の外歯部６２のそれぞれのロック歯６２０をプラグ４０の鍵穴４２０に嵌合させ、プラグ４０を回転させると、プラグ４０の作動ブロック４４が時計回りの方向に回転して係止部材２６の押接孔２６２に押接する。よって、係止部材２６の係止ブロック２６０が後退してハウジング後部支持部材２５内に位置し、ハウジング１０の位置決めブロック１４に係合する位置から離れる。この場合、図１２に開示するように、シリンダハウジング２０をプラグ４０とともにハウジング１０から取り出すことができる。
【００８７】
さらに、図２、図５、図１３に開示するように、鍵を時計回りの逆方に回転させて本来の位置に復帰させ、位置決め記号５１４と第２指示標示２８とを合わせ、鍵をシリンダ３０とプラグ４０から抜き出して、指でシリンダハウジン２０の係合孔２４の位置に置き、外部位置決め板４５の係合耳４５１をハウジング後部支持部材２５の方向に移動させ、外部位置決め板４５の固定係合溝４５２に固定ブロックを嵌合させる。この場合、弾性部材４６が圧縮されて弾力が蓄積し、移動した外部位置決め板４５の外部嵌合柱４５０がシリンダ３０の嵌合溝３１５から離れて移動する。この場合、それぞれのシリンダ３０を回転させて、異なる配列に変更すると、表示窓２３に異なる組み合わせの標示記号３１２が表示される。
【００８８】
以上の調整を終えて、外部位置決め板４５の係合耳４５１に対する指の押し圧を開放すると、弾性部材４６の付勢力によって位置決め板４５が押されて、シリンダ３０の方向に移動し、本来の位置に復帰する。このため、外部嵌合柱４５０が再度移動して隣り合うシリンダ３０の嵌合溝３１５に嵌合する。さらに、シリンダハウジング２０のそれぞれのシリンダ３０とプラグ４０とがハウジング１０内に装入されて、鍵の本来のロック歯７３の配列によって調整後の錠前のロックを解除することができなくなる。このためシリンダ３０のロックピンセットの配列を随時調整することができ、安全性が得られる。したがって、鍵を遺失しても錠前を交換する必要がなく、シリンダ３０の配列を変更するだけで、本来の鍵を拾った者がロックを解除する恐れを解消することができ、錠前交換の費用と時間を省くことができる。
【００８９】
シリンダ３０の配列を変更した後、鍵のロック解除ブロック７０のロック歯７３も変更しなければならない。図１０、１１に開示するように、位置決めボルト５３を取り出し、ナット５１１を回転できる状態にし、指でナット５１１を回転させて、内部ねじ孔５１２のねじ山と軸体６０の連結部６１のねじ山との作用によって軸体６０をヘッド部５０から離れる方向移動させ、移動した後の軸体６０の係合溝６２１から隣り合うロック解除ブロック７０の突起ブロック７１が離れて移動し、互いに嵌合したロック解除ブロック７０が離れて回転できるようになる。この場合、ロック解除ブロック７０を回転させて位置合わせ記号７３０をシリンダ３０の該ロックピンセットの配列に合わせ、ナット５１１を逆方向に回転させて軸体６０をヘッド部５０の方向に移動させ、係合溝６２１を移動させて隣り合うロック解除ブロック７０の突起ブロック７１を嵌合させる。同時に複数のロック解除ブロック７０を互いに嵌合させて位置決めする。
【００９０】
最後に、位置決めボルト５３をヘッド部５０に取付け、ナット５１１を位置決めして回転しないようにする。この場合、配列調整後の錠前に合わせた鍵の調整が完了し、施錠、もしくはロック解除の動作を行うことができるようになる。
【００９１】
この発明による鍵は、ロック歯７３の配列を変更することができる。このため、ロックピンセットの配列を調整した錠前に合わせて調整して施錠、もしくはロック解除を行うことができる。鍵を遺失した場合は、同様の構造の鍵を購入して、錠前のロックピンセットの配列を表わす標示記号３１２に合わせて鍵のロック歯７３の位置合わせ記号７３０を調整するだけで施錠、もしくはロック解除を行うことができる、よって、使用上の利便性を具える。
【００９２】
以上は、この発明の好ましい実施の形態であって、この発明の実施の範囲を限定するものではない。よって、当業者のなしえる変更、もしくは修正などであって、この発明の精神の下においてなされ、この発明に対して均等の効果を有するものは、ずれもこの発明の特許請求の範囲に属するものとする。
【符号の説明】
【００９３】
１０       ハウジング
１１       収納孔
１２       貫通孔
１３       指示標示
１４       位置決めブロック
２０       シリンダハウジング
２１       外端部
２１０     嵌設部
２１１     位置制限溝
２１２     嵌合溝
２２       内端部
２２０     固定孔
２３       表示窓
２４       係合孔
２５       ハウジング後部支持部材
２５０     固定孔
２５１     挿設孔
２５２     貫通孔
２５３     係合溝
２６       係止部材
２６０     係止ブロック
２６１     当止部
２６２     押接孔
２７       環状弾性部材
２８       指示標示
３０       シリンダ
３１       環状ダイヤル
３１０     外部ピン孔
３１１     ナンバーリング
３１２     標示記号    
３１３     環状嵌合溝
３１４     嵌合突起柱
３１５     嵌合溝
３２       内筒体
３２０     キーウェイ
３２１     内部ピン孔
３２２     内部嵌合突起柱
３２３     内部嵌合溝
３２４     環状嵌合端縁部
３２５     位置制限環
３３       第１ロックピンセット 
３３０     弾性部材
３３１     外部ロックピン
３３２     内部ロックピン
３３３     位置制限突縁
３４       第２ロックピンセット
３５       第３ロックピンセット
３６       第４ロックピンセット
３７       鍵位置決め環
３７０     鍵穴
３７１     位置決め孔
３７２     弾性部材
３７３     位置決め柱
３７４     内部嵌合溝
３７５     段差部
４０       プラグ
４１       突縁
４１０     固定ブロック
４２       内部係合柱
４２０     鍵穴
４３       連結突起部
４３０     連結孔
４４       作動ブロック
４５       外部位置決め板
４５０     外部嵌合柱
４５１     係合耳
４５２     固定係合溝
４６       弾性部材
４７       固定ブロック
５０       ヘッド部
５１       把持部
５１０     装着孔
５１１     ナット
５１２     ねじ孔
５１３     位置決め孔
５１４     位置決め記号
５２       桿体部
５２０     内歯部
５２１     位置決め溝
５２２     中心貫通孔
５２３     係合突起
５３       位置決めボルト
５３０     位置決め突起
６０       軸体
６１       連結部
６２       外歯部
６２０     ロック歯
６２１     係合溝
７０       ロック解除ブロック
７００     挿通孔
７１       突起ブロック
７２       係合溝
７３       ロック歯
７３０     位置合わせ記号
７３１     第１ロック歯
７３２     第２ロック歯
７３３     第３ロック歯
７３４     第４ロック歯
【図１】
2016507677.tif 000003
【図２】
2016507677.tif 000004
【図３】
2016507677.tif 000005
【図４】
2016507677.tif 000006
【図５】
2016507677.tif 000007
【図６】
2016507677.tif 000008
【図７】
2016507677.tif 000009
【図８】
2016507677.tif 000010
【図９】
2016507677.tif 000011
【図１０】
2016507677.tif 000012
【図１１】
2016507677.tif 000013
【図１２】
2016507677.tif 000014
【図１３】
2016507677.tif 000015
【国際調査報告】
2016507677.tif 000016
2016507677.tif 000017
2016507677.tif 000018
2016507677.tif 000019
2016507677.tif 000020
2016507677.tif 000021